(57)【特許請求の範囲】
【請求項１】
上下に立設された支柱にブラケットを取り付け、このブラケット上に棚を架設して成る棚装置において、前記支柱に複数形成された係合孔と、前記ブラケットの後端に形成され、前記係合孔に挿入係合される複数の係合爪とを備え、前記係合孔は前記係合爪の厚みよりも大きい幅を備えると共に、上下に隣接する係合孔は略係合爪と前記係合孔の幅の差分左右に偏位して形成されていることを特徴とする棚装置。
【発明の詳細な説明】
【０００１】
【発明の属する技術分野】
本発明は、ショーケース等の貯蔵室内に取り付けられる棚装置に関するものである。
【０００２】
【従来の技術】
従来よりこの種ショーケースにおいては、例えば特願平５−２５７７８６号公報（Ａ４７Ｂ９６／００）に示されるような棚装置が取り付けられ、この棚装置は、支柱に支持された一対のブラケット上に棚を架設して構成されている。
【０００３】
以下、係る従来の棚装置１００を図９乃至図１１を用いて説明する。ブラケット１０１は後端に複数の係合爪１０２・・を備えており、この係合爪１０２・・を、支柱１０３の前面に上下に渡って複数垂直方向に形成した係合孔１０４・・に係合させることにより、ブラケット１０１は支柱１０３に支持されている。
【０００４】
このブラケット１０１の上縁には略Ｌ字状の切溝１０５及び略Ｌ字状の底面が段差形状とされた切溝１０６が二箇所ずつ形成されており、ブラケット１０１上に架設される図示しない棚の下面にも前記切溝１０５及び１０６に取り付けるための略Ｌ字状の係合片が二個づつ形成されている。
【０００５】
また、支柱１０３の係合孔１０４・・・はブラケット１０１の厚み、即ち、係合爪１０２の厚みよりも幅広に形成され、挿入を容易としており、且つ、各係合孔１０４・・・は垂直方向に一直線に並んで形成されていた。そして、ブラケット１０１を取り付ける際には、支柱１０３の前方から係合爪１０２・・を各係合孔１０４・・に挿入して係合させることにより行っていた。
【０００６】
【発明が解決しようとする課題】
このように、支柱１０３の係合孔１０４とブラケット１０１の係合爪１０２の厚みには差があるため、係合状態において支柱１０３に取り付けられたブラケット１０１は、図１１に示す如く係合孔１０４の幅の差だけ係合爪１０２が移動（回動）可能となる。そのため、ブラケット１０１の先端部分は水平方向（横方向）に大きく振れてしまい、安定的に固定できない問題があった。
【０００７】
そして、支柱１０３に係合されるブラケット１０１が確実に固定されないことからブラケット１０１上の棚の落下を招く問題もあった。
【０００８】
一方、係るブラケット１０１の横振れを抑制するためには係合孔１０４の幅を狭くすることも考えられるが、係合孔１０４の幅を狭くすると、今度は取り付ける際に係合爪１０２を挿入し難くなり、作業が煩雑化する問題が生じる。
【０００９】
そこで本発明は、係る従来の技術的課題を解決するために成されたものであり、ブラケットを支柱に確実且つ安定的に固定することができる棚装置を提供することを目的とする。
【００１０】
【課題を解決するための手段】
本発明の棚装置は、上下に立設された支柱にブラケットを取り付け、このブラケット上に棚を架設して成るものであって、支柱に複数形成された係合孔と、ブラケットの後端に形成され、係合孔に挿入係合される複数の係合爪とを備え、係合孔は係合爪の厚みよりも大きい幅を備えると共に、上下に隣接する係合孔は略係合爪と前記係合孔の幅の差分左右に偏位して形成されているものである。
【００１１】
本発明によれば、上下に立設された支柱にブラケットを取り付け、このブラケット上に棚を架設して成る棚装置において、支柱に複数形成された係合孔と、ブラケットの後端に形成され、係合孔に挿入係合される複数の係合爪とを備え、係合孔を係合爪の厚みよりも大きい幅とすると共に、上下に隣接する係合孔は略係合爪と前記係合孔の幅の差分左右に偏位させて形成したので、各係合爪の左右側面を交互に係合孔の内縁に当接させ、交互に左右から押圧することが可能となる。
【００１２】
これにより、係合爪を確実に係合孔に固定することができるようになるため、ブラケット先端の横方向への振れ幅を従来と比して著しく狭くすることができるようになり、ブラケットをより一層確実且つ安定的に支柱に固定することができるようになる。
【００１３】
また、このとき係合孔自体の幅を狭めるものでもないので、取付作業性の悪化も殆ど問題とならないものである。
【００１５】
また、係合爪を挿入する幅は上下方向に一直線に確保され、且つ、挿入した状態では、各係合爪の左右側面に交互に係合孔の内縁が密接することになる。
【００１６】
これにより、各係合爪の挿入作業性を担保しつつ、取付状態における安定性をより一層向上させることが可能となるものである。
【００１７】
【発明の実施の形態】
次に、図面に基づき本発明の実施形態を詳述する。
【００１８】
図１は本発明の棚装置を採用した実施例としての低温ショーケース１の斜視図、図２は低温ショーケース１の縦断側面図をそれぞれ示している。実施例の低温ショーケース１は、断面略コ字状の断熱壁２と、この断熱壁２の両側に取り付けられた側板３、３とから構成されている。断熱壁２の内側にはそれぞれ間隔を存して仕切板４及び図示しない仕切板が取り付けられ、これら仕切板４及び図示しない仕切板間には内層ダクト、図示しない仕切板と断熱壁２間には外層ダクトが形成されている。
【００１９】
内側の仕切板４を構成する背部仕切板１０の下端前方には底板９が断熱壁２の底壁２Ａとの間にダクト用の間隔を存して取り付けられており、これら仕切板４及び底板９の内側を貯蔵室１１としている。断熱壁２の前面開口１２の上縁にはハニカム材１３、１４がそれぞれ取り付けられた内層吐出口１６及び外層吐出口１７が並設されており、これら内層吐出口１６及び外層吐出口１７は前記内層ダクト及び外層ダクトにそれぞれ連通している。開口１２の下縁には内層吸込口１８と外層吸込口１９が並設されている。
【００２０】
一方、底板９下方後部には断熱壁２の底壁２Ａ上に前記内層用ダクト及び前記外層用ダクトのそれぞれに対応する図示しない送風機が複数台取り付けられている。
【００２１】
背部仕切板１０後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２２】
一方、前記外層ダクトに対応した送風機が運転されると外層ダクト内の空気は外層ダクト内を上昇せられ、外層吐出口１７より外層吸込口１９に向かって吐出される。そして、外層吸込口１９から吸い込まれた空気は再び前記送風機によって加速される。これによって、開口１２には前後二重のエアーカーテンが形成され、内側の冷気エアーカーテンの一部が貯蔵室１１内に循環されて貯蔵室１１は冷却される。
【００２３】
一方、断熱壁２の天壁２Ｂ前端にはパネル３３が取り付けられており、このパネル３３の前面には温度計３８が設けられている。
【００２４】
次に、図３乃至図５を参照して本実施例の低温ショーケース１の棚装置を説明する。本発明の棚装置は貯蔵室１１背面の背部仕切板１０の両側及び中央などに立設された支柱２８とブラケット３１及び棚３２とから構成されている。
【００２５】
前記ブラケット３１は後端に複数の係合爪５１・・を備えており、上縁には切溝５３、５３、５４、５４が前後に棚３２の下面に形成された図示しない複数の係合片の間隔と同間隔を存して形成されている。後側の切溝５４は棚３２の係合片が挿入可能な幅を有しており、略Ｌ字状を呈している。
【００２６】
一方、前側の切溝５３は前記係合片が挿入可能な幅を有し、ブラケット３１の上縁より降下した後、前方に曲がって形成されている。更に、切溝５３の底面は段差形状とされている。
【００２７】
他方、支柱２８の前面には本実施例では、前記ブラケット３１の係合爪５１の厚みよりも所定幅が大きい長円形状に形成された係合孔２９・・・が垂直方向に複数形成されている。この場合において、これら上下に隣接する係合孔２９・・は係合爪５１の取付位置よりも略係合爪５１と係合孔２９の幅の差分だけ左右に交互に偏位して形成されている。
【００２８】
尚、本実施例においては上下に隣接する係合孔２９・・は一つずつ交互に左右に偏位して形成されているが、例えば二つずつ交互に左右に変異して形成されていても良い。
【００２９】
以上の構成により、係る支柱２８にブラケット３１を取り付ける際には、ブラケット３１の後端に形成された各係合爪５１・・を支柱２８の係合孔２９・・に係合させる。そして、各支柱２８上のブラケット３１上に棚３２を架設する。
この場合において、係合孔２９は係合爪５１の厚みよりも大きい幅を備えると共に、上下に隣接する係合孔２９は左右に偏位して形成されているので、係合孔２９の内縁は交互に係合常５１の左右側面に当接し、係合爪５１を交互に左右から押圧する。
【００３０】
そのため、図５に示す如くブラケット３１先端の水平方向（横方向）への振れ幅は従来と比して著しく狭くなり、ブラケット３１はより一層確実に支柱２８に固定される。これにより、ブラケット３１上に架設される棚３２は安定して取り付けられることになる。
【００３１】
特に、この係合孔２９は略係合爪５１と係合孔２９の幅の差分だけ左右に偏位して形成しているので、ブラケット３１の係合爪５１を支柱２８の係合孔２９に取り付ける際、係合爪５１を挿入する幅は上下方向に一直線に確保される。そして、挿入した状態では、各係合爪５１の左右側面に交互に係合孔２９の内縁が密接することになるので、各係合爪５１の挿入作業性も担保される。
【００３２】
また、係合爪５１を挿入する係合孔２９の位置を、当該係合孔２９の付近に付された数字により決定する際には、係合孔２９は左右に偏位して形成されているため、外観からも位置を決定し易くなる。
【００３３】
尚、図６乃至図８に示す如く、前記支柱２８に形成された係合孔２９は、長円に限らず、前記ブラケット３１の係合爪５１の厚みよりも所定幅大きい縦長の長方形状に形成された係合孔３０であっても良い。
【００３４】
【発明の効果】
以上詳述した如く本発明によれば、上下に立設された支柱にブラケットを取り付け、このブラケット上に棚を架設して成る棚装置において、支柱に複数形成された係合孔と、ブラケットの後端に形成され、係合孔に挿入係合される複数の係合爪とを備え、係合孔を係合爪の厚みよりも大きい幅とすると共に、上下に隣接する係合孔は略係合爪と前記係合孔の幅の差分左右に偏位させて形成したので、各係合爪の左右側面を交互に係合孔の内縁に当接させ、交互に左右から押圧することが可能となる。
【００３５】
これにより、係合爪を確実に係合孔に固定することができるようになるため、ブラケット先端の横方向への振れ幅を従来と比して著しく狭くすることができるようになり、ブラケットをより一層確実且つ安定的に支柱に固定することができるようになる。
【００３６】
また、このとき係合孔自体の幅を狭めるものでもないので、取付作業性の悪化も殆ど問題とならないものである。
【００３７】
また、係合爪を挿入する幅は上下方向に一直線に確保され、且つ、挿入した状態では、各係合爪の左右側面に交互に係合孔の内縁が密接することになる。
【００３８】
これにより、各係合爪の挿入作業性を担保しつつ、取付状態における安定性をより一層向上させることが可能となるものである。
【図面の簡単な説明】
【図１】本発明の棚装置を適用した低温ショーケースの斜視図である。
【図２】同低温ショーケースの縦断側面図である。
【図３】本実施例の棚装置の支柱と係合爪の関係を示す支柱の正面図である。
【図４】支柱にブラケットを取り付けた状態の側面図である。
【図５】同じく支柱にブラケットを取り付けた状態のブラケットの水平方向への振れを説明する図である。
【図６】他の実施例の棚装置の支柱と係合爪の関係を示す支柱の正面図である。
【図７】図６の支柱にブラケットを取り付けた状態の側面図である。
【図８】同じく図６の支柱にブラケットを取り付けた状態のブラケットの水平方向への振れを説明する図である。
【図９】従来の棚装置の支柱と係合爪の関係を示す支柱の正面図である。
【図１０】図９の支柱にブラケットを取り付けた状態の側面図である。
【図１１】同じく図９の支柱にブラケットを取り付けた状態のブラケットの水平方向への振れを説明する図である。
【符号の説明】
１  低温ショーケース
１１  貯蔵室
２８  支柱
２９、３０  係合孔
３１  ブラケット
３２  棚
５１  係合爪
【図１】
0003706493.tif 000002
【図２】
0003706493.tif 000003
【図３】
0003706493.tif 000004
【図４】
0003706493.tif 000005
【図５】
0003706493.tif 000006
【図６】
0003706493.tif 000007
【図７】
0003706493.tif 000008
【図８】
0003706493.tif 000009
【図９】
0003706493.tif 000010
【図１０】
0003706493.tif 000011
【図１１】
0003706493.tif 000012